(57)【要約】【課題】  バックアップ記録モード（撮影した画像の画像データを複数の記憶媒体に記録する記録モード）が有効であるときの撮影可能回数をユーザに通知することができる撮像装置を提供する。【解決手段】  最も小さい空き容量の記憶媒体が第１の記憶媒体（１０７Ａ）である場合は、第１の記憶媒体の空き容量と、現在の撮影条件から予測される撮影画像のデータサイズとに基づいて撮影可能枚数を計算し、最も小さい空き容量の記憶媒体が第２の記憶媒体（１０７Ｂ）である場合は、第２の記憶媒体の空き容量と、現在の撮影条件から予測される撮影画像のデータサイズとに基づいて撮影可能枚数を計算する計算手段（１０８）を有する撮像装置（１０）を提供する。【選択図】  図１
2005260920.tif 000002
【特許請求の範囲】
【請求項１】
第１及び第２の記憶媒体に撮影画像の画像データを記録するときの撮影可能枚数を計算する計算手段を有し、
前記計算手段は、前記第１の記録媒体の空き容量が前記第２の記録媒体の空き容量よりも少ない場合は、前記第１の記録媒体の空き容量と、撮影条件から予測される撮影画像のデータサイズとに応じて撮影可能枚数を計算し、
前記第２の記録媒体の空き容量が前記第１の記録媒体の空き容量よりも少ない場合は、前記第２の記録媒体の空き容量と、撮影条件から予測される撮影画像のデータサイズとに応じて撮影可能枚数を計算することを特徴とする撮像装置。
【請求項２】
前記計算手段により計算された撮影可能枚数が０である場合は、撮影を禁止することを特徴とする請求項１に記載の撮像装置。
【請求項３】
前記計算手段により計算された撮影可能枚数が０である場合は、前記第１及び前記第２の記憶媒体の何れかに撮影画像の画像データを記録できるようにすることを特徴とする請求項１に記載の撮像装置。
【請求項４】
前記第１の記録媒体の空き容量が前記第２の記録媒体の空き容量よりも少ないときに、前記計算手段により計算された撮影可能枚数が０である場合は、前記第２の記憶媒体に撮影画像の画像データを記録できるようにし、
前記第２の記録媒体の空き容量が前記第１の記録媒体の空き容量よりも少ないときに、前記計算手段により計算された撮影可能枚数が０である場合は、前記第１の記憶媒体に撮影画像の画像データを記録できるようにすることを特徴とする請求項１に記載の撮像装置。
【発明の詳細な説明】
【技術分野】
【０００１】
本発明は、複数の記憶媒体を取り付けることができる撮像装置（デジタルカメラ、デジタルビデオカメラ、カメラ付き携帯電話等）に関する。
【背景技術】
【０００２】
現在、複数の記憶媒体を取り付けることができるデジタルカメラが知られている（例えば、特許文献１参照）。
【０００３】
【特許文献１】特開平７−２３１４２０号公報
【発明の開示】
【発明が解決しようとする課題】
【０００４】
撮影した画像の画像データを複数の記憶媒体に記録する記録モードを有するデジタルカメラでは、その記録モードが有効であるときに、あと何回の撮影が可能であるかを正確にユーザに通知できるようにするのが望ましい。このような要望は、デジタルカメラに限定されるものではなく、デジタルビデオカメラ、カメラ付き携帯電話等の撮像装置にも生じ得る。ここで、撮像装置とは、画像（動画、静止画を含む）を撮影し、その画像の画像データを生成する機能を有する装置のことを言う。
【０００５】
そこで、本発明は、バックアップ記録モード（撮影した画像の画像データを複数の記憶媒体に記録する記録モード）が有効であるときの撮影可能回数をユーザに通知できるようにすることを目的とする。
【課題を解決するための手段】
【０００６】
本発明に係る撮像装置は、上記目的を達成するため、例えば、第１及び第２の記憶媒体に撮影画像の画像データを記録するときの撮影可能枚数を計算する計算手段を有し、計算手段は、第１の記録媒体の空き容量が第２の記録媒体の空き容量よりも少ない場合は、第１の記録媒体の空き容量と、撮影条件から予測される撮影画像のデータサイズとに応じて撮影可能枚数を計算し、第２の記録媒体の空き容量が第１の記録媒体の空き容量よりも少ない場合は、第２の記録媒体の空き容量と、撮影条件から予測される撮影画像のデータサイズとに応じて撮影可能枚数を計算することを特徴とする。
【発明の効果】
【０００７】
本発明によれば、バックアップ記録モード（撮影した画像の画像データを複数の記憶媒体に記録する記録モード）が有効であるときの撮影可能回数をユーザに通知することができる。
【発明を実施するための最良の形態】
【０００８】
以下、図面を用いて本発明の好適な実施形態を説明する。以下の各実施形態では、画像（動画、静止画を含む）を撮影し、その画像の画像データを生成する機能を有する装置（例えば、デジタルカメラ、デジタルビデオカメラ、カメラ付き携帯電話）を撮像装置と呼ぶ。
【０００９】
（第１の実施形態）
まず、図１及び図２を用いて本発明の第１の実施形態を説明する。
図１は、撮像装置１０の主要な構成を示すブロック図である。撮像装置１０は、２つの記憶媒体を取り付けることができる。ユーザは、２つの記憶媒体の一方をメイン媒体に、他方をバックアップ媒体に設定することができる。また、撮像装置１０は、通常記録モードとバックアップ記録モードとを有する。通常記録モードは、撮影画像の画像データをメイン媒体にのみ記録する記録モードである。バックアップ記録モードは、撮影画像の画像データをメイン媒体及びバックアップ媒体の双方に記録する記録モードである。
【００１０】
図１において、１０１は、イメージセンサ（ＣＣＤセンサ、ＣＭＯＳセンサ等）を画像を撮影し、撮影した画像の画像データを生成する撮像部である。１０２は、撮像部１０１で生成された画像データに対して所定の画像処理を施す画像処理部である。１０３は、メモリ１０５が保持する画像データをＪＰＥＧ形式で圧縮し、ＪＰＥＧ形式で圧縮された画像データを含む画像ファイルを生成するＪＰＥＧエンコーダである。
【００１１】
１０４は、撮影画像の縮小画像、メニュー画面、撮影可能回数等をＬＣＤ（液晶表示器）等に表示する表示部である。１０５は、撮影条件（解像度、圧縮モード等）ごとに予測される画像データの最大データサイズを保持するメモリである。以下、所定の撮影条件（解像度、圧縮モード等）ごとに予測される画像データの最大データサイズを「予測サイズ」と呼ぶ。
【００１２】
１０６Ａは、第１のカードスロットである。１０７Ａは、カードスロット１０６Ａに取り付け可能な記憶媒体の一例であるメモリカードである。図１では、メモリカード１０７Ａがメイン媒体に設定されている例を示す。１０６Ｂは、第２のカードスロットである。１０７Ｂは、カードスロット１０６Ｂに取り付け可能な記憶媒体の一例であるメモリカードである。図１では、メモリカード１０７Ｂがバックアップ媒体に設定されている例を示す。１０８は、撮像装置１０の動作を制御する制御部である。
【００１３】
また、図１において、１０９は、画像の撮影を指示するためのレリーズスイッチである。１１０は、メモリカード１０７Ａ又はメモリカード１０７Ｂをメイン媒体又はバックアップ媒体に設定するメイン／バックアップ媒体設定部である。１１１は、撮影条件（解像度、圧縮モード等）を設定するための撮影条件設定部である。解像度にはＬＡＲＧＥ、ＬＡＲＧＥよりも解像度の小さいＭＩＤＤＬＥ、ＭＩＤＤＬＥより解像度の小さいＳＭＡＬＬがあり、圧縮モードにはＦＩＮＥ、ＦＩＮＥよりも圧縮率の高いＮＯＲＭＡＬがある。
撮影条件によって撮影画像の画像データの最大データサイズは異なる。撮影条件ごとに予測される画像データの最大データサイズは、メモリ１０５に保持されている。１１２は、
通常記録モード又はバックアップ記録モードを有効にするための記録モード切り替え部である。図１の撮像装置１０では、通常記録モードが有効にされた場合にはバックアップ記録モードを無効にし、バックアップ記録モードが有効にされた場合には通常記録モードを無効にするものとする。
【００１４】
図２は、撮像装置１０における実行される処理を説明するためのフローチャートである。図２に示す処理は、通常記録モードをバックアップ記録モードに変更したときに実行される処理であり、バックアップ記録モードでの撮影を行うときにも実行される処理である。
【００１５】
ステップＳ２０１では、制御部１０８は、現在の撮影条件（解像度、圧縮モード等）に対応する予測サイズを決定し、決定した予測サイズをメモリ１０５から読み出す。なお、本実施形態では、撮影条件に対応する予測サイズをメモリ１０５に記録する構成を採用したが、撮影ごとに所定の計算式によって予測サイズを計算する構成を採用することも可能である。
【００１６】
ステップＳ２０２では、制御部１０８は、メモリカード１０７Ａ及び１０７Ｂの残り容量を検出する。
【００１７】
ステップＳ２０３では、制御部１０８は、メモリカード１０７Ａ及び１０７Ｂの残り容量を比較し、メモリカード１０７Ｂの残り容量がメモリカード１０７Ａの残り容量よりも大きいか否かを判定する。つまり、バックアップ媒体の残り容量がメイン媒体の残り容量よりも大きいか否かを判定する。バックアップ媒体の残り容量がメイン媒体の残り容量よりも大きい場合はステップＳ２０４に進み、それ以外の場合はステップＳ２０８に進む。
【００１８】
ステップＳ２０４では、制御部１０８は、メイン媒体であるメモリカード１０７Ａの残り容量を予想サイズで割ることによって撮影可能回数を計算する。つまり、制御部１０８は、バックアップ媒体よりも残り容量の少ないメイン媒体の残り容量を用いて撮影可能枚数を算出する。メモリカード１０７Ａの残り容量が予想サイズよりも大きくない場合、撮影可能回数は０となる。
【００１９】
ステップＳ２０５では、表示部１０４は、ステップＳ２０４で計算された撮影可能回数を表示する。これにより、ユーザは、メイン媒体及びバックアップ媒体の双方を用いるバックアップ記録モードであと何枚の撮影画像を記録できるかを知ることができる。
【００２０】
ステップＳ２０６では、制御部１０８は、撮影可能回数が０であるか否かを判定する。撮影可能回数が０である場合はステップＳ２０７に進む。
【００２１】
ステップＳ２０７では、制御部１０８は、バックアップ記録モードでの撮影を禁止する。表示部１０４は、バックアップ記録モードでの撮影が禁止されたことを示すメッセージ又は画像を表示する。また、表示部１０４は、メモリカードＡが一杯であることを示すメッセージ又は画像を表示する。この場合、ユーザは、バックアップ記録モードを通常記録モードに切り替え、且つ、メモリカード１０７Ｂをバックアップ媒体からメイン媒体に変更すれば、メモリカード１０７Ｂが一杯になるまで通常記録モードでの撮影が可能になる。
【００２２】
ユーザからの指示に従って記録モードを通常記録モードに変更し、且つ、メモリカード１０７Ｂをメイン媒体に変更した場合にも、制御部１０８は、撮影条件に応じて決定された予測サイズと、メモリカード１０７Ｂの残り容量とを用いて撮影可能回数を計算し、計算された撮影可能回数を表示部１０４に表示させる。さらに、制御部１０８は、通常記録モードでの撮影を行うごとに撮影可能回数を計算し、計算された撮影可能回数を表示部１０４に表示させる。そして、計算された撮影可能回数が０になったとき、制御部１０８は、通常記録モードでの撮影を禁止するとともに、通常記録モードでの撮影が禁止したことを示すメッセージ又は画像を表示部１０４に表示させる。
【００２３】
一方、ステップＳ２０８では、制御部１０８は、バックアップ媒体であるメモリカード１０７Ｂの残り容量を予想サイズで割ることによって撮影可能回数を計算する。つまり、制御部１０８は、メイン媒体よりも残り容量の少ないバックアップ媒体の残り容量を用いて撮影可能枚数を算出する。メモリカード１０７Ｂの残り容量が予想サイズよりも大きくない場合、撮影可能回数は０となる。
【００２４】
ステップＳ２０９では、表示部１０４は、ステップＳ２０８で計算された撮影可能回数を表示する。これにより、ユーザは、メイン媒体及びバックアップ媒体の双方にあと何枚の撮影画像を記録できるかを知ることができる。
【００２５】
ステップＳ２１０では、制御部１０８は、撮影可能回数が０であるか否かを判定する。
撮影可能回数が０である場合はステップＳ２１１に進む。
【００２６】
ステップＳ２１１では、制御部１０８は、バックアップ記録モードでの撮影を禁止する。表示部１０４は、バックアップ記録モードでの撮影が禁止されたことを示すメッセージ又は画像を表示する。また、表示部１０４は、メモリカードＢが一杯であることを示すメッセージ又は画像を表示する。この場合、ユーザは、バックアップ記録モードを通常記録モードに切り替えれば、メイン媒体であるメモリカード１０７Ａが一杯になるまで通常記録モードでの撮影が可能になる。
【００２７】
ユーザからの指示に従って記録モードを通常記録モードに変更した場合にも、制御部１０８は、撮影条件に応じて決定された予測サイズと、メモリカード１０７Ａの残り容量とを用いて撮影可能回数を計算し、計算された撮影可能回数を表示部１０４に表示させる。さらに、制御部１０８は、通常記録モードでの撮影を行うごとに撮影可能回数を計算し、計算された撮影可能回数を表示部１０４に表示させる。そして、計算された撮影可能回数が０になったとき、制御部１０８は、通常記録モードでの撮影を禁止するとともに、通常記録モードでの撮影が禁止したことを示すメッセージ又は画像を表示部１０４に表示させる。
【００２８】
このように、第１の実施形態に係る撮像装置１０によれば、バックアップ記録モードが有効であるときは、記録媒体の残り容量のうち少ない方の容量に基づいて撮影可能回数を計算することで、メイン媒体１０７Ａ及びバックアップ媒体１０７Ｂの双方を用いるバックアップ記録モードであと何枚の撮影画像を記録することができるかを確実にユーザに通知することができる。
【００２９】
（第２の実施形態）
次に、図１及び図３を用いて本発明の第２の実施形態を説明する。
図３は、撮像装置１０における実行される処理を説明するためのフローチャートである。図３に示す処理は、通常記録モードをバックアップ記録モードに変更したときに実行される処理であり、バックアップ記録モードでの撮影を行うときにも実行される処理である。
【００３０】
ステップＳ３０１では、制御部１０８は、現在の撮影条件（解像度、圧縮モード等）に対応する予測サイズを決定し、決定した予測サイズをメモリ１０５から読み出す。なお、本実施形態では、撮影条件に対応する予測サイズをメモリ１０５に記録する構成を採用したが、撮影ごとに所定の計算式によって予測サイズを計算する構成を採用することも可能である。
【００３１】
ステップＳ３０２では、制御部１０８は、メモリカード１０７Ａ及び１０７Ｂの残り容量を検出する。
【００３２】
ステップＳ３０３では、制御部１０８は、メモリカード１０７Ａ及び１０７Ｂの残り容量を比較し、メモリカード１０７Ｂの残り容量がメモリカード１０７Ａの残り容量よりも大きいか否かを判定する。つまり、バックアップ媒体の残り容量がメイン媒体の残り容量よりも大きいか否かを判定する。バックアップ媒体の残り容量がメイン媒体の残り容量よりも大きい場合はステップＳ３０４に進み、それ以外の場合はステップＳ３０８に進む。
【００３３】
ステップＳ３０４では、制御部１０８は、メイン媒体であるメモリカード１０７Ａの残り容量を予想サイズで割ることによって撮影可能回数を計算する。つまり、制御部１０８は、バックアップ媒体よりも残り容量の少ないメイン媒体の残り容量を用いて撮影可能枚数を算出する。メモリカード１０７Ａの残り容量が予想サイズよりも大きくない場合、撮影可能回数は０となる。
【００３４】
ステップＳ３０５では、表示部１０４は、ステップＳ３０４で計算された撮影可能回数を表示する。これにより、ユーザは、メイン媒体及びバックアップ媒体の双方を利用するバックアップ記録モードであと何枚の撮影画像を記録できるかを知ることができる。
【００３５】
ステップＳ３０６では、制御部１０８は、撮影可能回数が０であるか否かを判定する。
撮影可能回数が０である場合はステップＳ３０７に進む。
【００３６】
ステップＳ３０７では、制御部１０８は、メモリカード１０７Ｂをバックアップ媒体からメイン媒体に変更するとともに、バックアップ記録モードを通常記録モードに自動的に変更する。表示部１０４は、バックアップ記録モードが通常記録モードに自動的に変更されたことを示すメッセージ又は画像を表示する。また、表示部１０４は、メモリカード１０７Ｂがバックアップ媒体からメイン媒体に変更されたことを示すメッセージ又は画像を表示する。さらに、表示部１０４は、メモリカードＡが一杯であることを示すメッセージ又は画像を表示する。この場合、ユーザは、メイン媒体であるメモリカード１０７Ｂが一杯になるまで通常記録モードでの撮影が可能になる。
【００３７】
記録モードを通常記録モードに自動的に変更し、且つ、メモリカード１０７Ｂをメイン媒体に自動的に変更した場合にも、制御部１０８は、撮影条件に応じて決定された予測サイズと、メモリカード１０７Ｂの残り容量とを用いて撮影可能回数を計算し、計算された撮影可能回数を表示部１０４に表示させる。さらに、制御部１０８は、通常記録モードでの撮影を行うごとに撮影可能回数を計算し、計算された撮影可能回数を表示部１０４に表示させる。そして、計算された撮影可能回数が０になったとき、制御部１０８は、通常記録モードでの撮影を禁止するとともに、通常記録モードでの撮影が禁止したことを示すメッセージ又は画像を表示部１０４に表示させる。
【００３８】
一方、ステップＳ３０８では、制御部１０８は、バックアップ媒体であるメモリカード１０７Ｂの残り容量を予想サイズで割ることによって撮影可能回数を計算する。つまり、制御部１０８は、メイン媒体よりも残り容量の少ないバックアップ媒体の残り容量を用いて撮影可能枚数を算出する。メモリカード１０７Ｂの残り容量が予想サイズよりも大きくない場合、撮影可能回数は０となる。
【００３９】
ステップＳ３０９では、表示部１０４は、ステップＳ３０８で計算された撮影可能回数を表示する。これにより、ユーザは、メイン媒体及びバックアップ媒体の双方にあと何枚の撮影画像を記録できるかを知ることができる。
【００４０】
ステップＳ３１０では、制御部１０８は、撮影可能回数が０であるか否かを判定する。
撮影可能回数が０である場合はステップＳ３１１に進む。
【００４１】
ステップＳ３１１では、制御部１０８は、バックアップ記録モードを通常記録モードに自動的に変更する。表示部１０４は、バックアップ記録モードが通常記録モードに自動的に変更されたことを示すメッセージ又は画像を表示する。また、表示部１０４は、メモリカードＢが一杯であることを示すメッセージ又は画像を表示する。この場合、ユーザは、メイン媒体であるメモリカード１０７Ａが一杯になるまで通常記録モードでの撮影が可能になる。
【００４２】
記録モードを通常記録モードに自動的に変更した場合にも、制御部１０８は、撮影条件に応じて決定された予測サイズと、メモリカード１０７Ａの残り容量とを用いて撮影可能回数を計算し、計算された撮影可能回数を表示部１０４に表示させる。さらに、制御部１０８は、通常記録モードでの撮影を行うごとに撮影可能回数を計算し、計算された撮影可能回数を表示部１０４に表示させる。そして、計算された撮影可能回数が０になったとき、制御部１０８は、通常記録モードでの撮影を禁止するとともに、通常記録モードでの撮影が禁止したことを示すメッセージ又は画像を表示部１０４に表示させる。
【００４３】
このように、第２の実施形態に係る撮像装置１０によれば、バックアップ記録モードが有効であるときは、記録媒体の残り容量のうち少ない方に基づいて撮影可能回数を計算することで、メイン媒体１０７Ａ及びバックアップ媒体１０７Ｂの双方を用いるバックアップ記録モードであと何枚の撮影画像を記録することができるかを確実にユーザに通知することができる。
【００４４】
また、第２の実施形態に係る撮像装置１０によれば、バックアップ記録モードが有効であるときにメイン媒体が一杯になった場合には、バックアップ記録モードを通常記録モードに自動的に変更し、且つ、バックアップ媒体をメイン媒体に自動的に変更することによって撮影が禁止されることを防止することができる。また、ユーザが記録モードの切り替えをする必要がなくなるので、シャッターチャンスを逃してしまう恐れを軽減することもできる。
【００４５】
また、第２の実施形態に係る撮像装置１０によれば、バックアップ記録モードが有効であるときにバックアップ媒体が一杯になった場合には、バックアップ記録モードを通常記録モードに自動的に変更することによって撮影が禁止されることを防止することができる。また、ユーザが記録モードの切り替えをする必要がなくなるので、シャッターチャンスを逃してしまう恐れを軽減することもできる。
【図面の簡単な説明】
【００４６】
【図１】第１及び第２の実施形態に係る撮像装置の主要な構成要素を示すブロック図である。
【図２】第１の実施形態に係る撮像装置で実行される処理を説明するためのフローチャートである。
【図３】第２の実施形態に係る撮像装置で実行される処理を説明するためのフローチャートである。
【符号の説明】
【００４７】
１０  撮像装置
１０１  撮像部
１０２  画像処理部
１０３  ＪＰＥＧエンコーダ
１０４  表示部
１０５  メモリ
１０６Ａ  第１のカードスロット
１０６Ｂ  第２のカードスロット
１０７Ａ  メモリカード（メイン媒体） 
１０７Ｂ  メモリカード（バックアップ媒体） 
１０８  制御部
１０９  レリーズスイッチ
１１０  メイン／バックアップ媒体設定部
１１１  撮影条件設定部
１１２  記録モード切り替え部
【図１】
2005260920.tif 000003
【図２】
2005260920.tif 000004
【図３】
2005260920.tif 000005
【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
第１及び第２の記憶媒体に撮影画像の画像データを記録するときの撮影可能枚数を計算する計算手段を有し、
前記計算手段は、前記第１の記憶媒体の空き容量が前記第２の記憶媒体の空き容量よりも少ない場合は、前記第１の記憶媒体の空き容量に応じて撮影可能枚数を計算し、
前記第２の記憶媒体の空き容量が前記第１の記憶媒体の空き容量よりも少ない場合は、前記第２の記憶媒体の空き容量に応じて撮影可能枚数を計算することを特徴とする撮像装置。
【請求項２】
前記計算手段は、撮影条件を考慮して前記撮影可能枚数を計算することを特徴とする請求項１に記載の撮像装置。
【請求項３】
前記計算手段により計算された撮影可能枚数が０である場合は、撮影を禁止することを特徴とする請求項１又は請求項２に記載の撮像装置。
【請求項４】
前記計算手段により計算された撮影可能枚数が０である場合は、前記第１及び第２の記憶媒体の何れかに撮影画像の画像データを記録できるようにすることを特徴とする請求項１又は請求項２に記載の撮像装置。
【請求項５】
前記第１の記憶媒体の空き容量が前記第２の記憶媒体の空き容量よりも少ないときに、前記計算手段により計算された撮影可能枚数が０である場合は、前記第２の記憶媒体に撮影画像の画像データを記録できるようにし、
前記第２の記憶媒体の空き容量が前記第１の記憶媒体の空き容量よりも少ないときに、前記計算手段により計算された撮影可能枚数が０である場合は、前記第１の記憶媒体に撮影画像の画像データを記録できるようにすることを特徴とする請求項１に記載の撮像装置。
【請求項６】
第１及び第２の記憶媒体に撮影画像の画像データを記録するときの撮影可能枚数を計算する撮像装置の制御方法であって、
前記第１の記憶媒体の空き容量が前記第２の記憶媒体の空き容量よりも少ない場合は、前記第１の記憶媒体の空き容量に応じて撮影可能枚数を計算する第１の計算工程と、
前記第２の記憶媒体の空き容量が前記第１の記憶媒体の空き容量よりも少ない場合は、前記第２の記憶媒体の空き容量に応じて撮影可能枚数を計算する第２の計算工程とを有することを特徴とする制御方法。
【請求項７】
前記第１及び第２の計算工程は、撮影条件を考慮して前記撮影可能枚数を計算することを特徴とする請求項６に記載の制御方法。
【請求項８】
前記第１及び第２の計算工程の何れかで計算された撮影可能枚数が０である場合は、撮影を禁止することを特徴とする請求項６又は請求項７に記載の制御方法。
【請求項９】
前記第１及び第２の計算工程の何れかで計算された撮影可能枚数が０である場合は、前記第１及び第２の記憶媒体の何れかに撮影画像の画像データを記録できるようにすることを特徴とする請求項６又は請求項７に記載の制御方法。
【請求項１０】
前記第１の記憶媒体の空き容量が前記第２の記憶媒体の空き容量よりも少ないときに、前記第１の計算工程で計算された撮影可能枚数が０である場合は、前記第２の記憶媒体に撮影画像の画像データを記録できるようにし、
前記第２の記憶媒体の空き容量が前記第１の記憶媒体の空き容量よりも少ないときに、前記第２の計算工程で計算された撮影可能枚数が０である場合は、前記第１の記憶媒体に撮影画像の画像データを記録できるようにすることを特徴とする請求項６又は請求項７に記載の制御方法。
【手続補正３】
【補正対象書類名】明細書
【補正対象項目名】０００１
【補正方法】変更
【補正の内容】
【０００１】
本発明は、複数の記憶媒体を取り付けることができる撮像装置（デジタルカメラ、デジタルビデオカメラ、カメラ付き携帯電話等）及びその制御方法に関する。
【手続補正４】
【補正対象書類名】明細書
【補正対象項目名】０００６
【補正方法】変更
【補正の内容】
【０００６】
本発明に係る撮像装置は、上記目的を達成するため、例えば、第１及び第２の記憶媒体に撮影画像の画像データを記録するときの撮影可能枚数を計算する計算手段を有し、計算手段は、第１の記憶媒体の空き容量が第２の記憶媒体の空き容量よりも少ない場合は、第１の記憶媒体の空き容量に応じて撮影可能枚数を計算し、第２の記憶媒体の空き容量が第１の記憶媒体の空き容量よりも少ない場合は、第２の記憶媒体の空き容量に応じて撮影可能枚数を計算することを特徴とする。